(57)【要約】【課題】  着脱かつ実装に必要なスペースが少なく、高精度なバランス修正が可能なディスク装置及びそのアンバランス修正方法を提供する。【解決手段】  ディスク２とそれを保持するハブ４とを備え、スピンドルモータのシャフト５に取り付けて回転駆動されるディスク装置において、ハブ４の鍔部４１の下端面には、その内部に収容する溝４１を形成している。この溝４１に収容されるバランスウェイト８は、弾性を有する略「Ｃ」の字状の外形を有しており、さらに、その一部に補助ウェイト６を１個以上取り付けて、バランスウェイトによるアンバランス修正を高精度に行なう。なお、Ｃの字状バランスウェイトには、１個以上の断面「コ」の字状の補助ウェイトを、内周から外周に向かう方向に取り付けた後、バランスウェイトを内側にわずかに圧縮して嵌め込む。    【選択図】  図１
2005076838.tif 000002
【特許請求の範囲】
【請求項１】
ディスク状記録媒体と、該ディスク状記録媒体を保持する略円筒形状の回転部とを備え、スピンドルモータに取り付けて回転駆動されるディスク装置において、前記回転部の回転軸方向の両端面の少なくとも一方に、バランスウェイトをその内部に収容するバランスウェイト収容部を形成し、かつ、前記バランスウェイト収容部に収容されるバランスウェイトは、弾性を有する略「Ｃ」の字状の外形を有しており、そして、当該バランスウェイトの一部には、さらに、少なくとも１個以上の補助ウェイトを取り付けてなることを特徴とするディスク装置。
【請求項２】
前記請求項１に記載したディスク装置において、前記補助ウェイトは、略「コ」の字状の断面形状を有しており、かつ、当該「コ」の字状の開口部が、前記「Ｃ」の字状のバランスウェイトの内周から外周に向かう方向になるように、前記バランスウェイトの一部に取り付けられたことを特徴とするディスク装置。
【請求項３】
前記請求項２に記載したディスク装置において、前記補助ウェイトは、弾性を有しており、もって、その「コ」の字状の断面形状の間に前記バランスウェイトの一部を挟持するように取り付けられたことを特徴とするディスク装置。
【請求項４】
前記請求項１に記載したディスク装置において、前記補助ウェイトは、溶接により前記バランスウェイトの一部に取り付けられていることを特徴とするディスク装置。
【請求項５】
前記請求項１に記載したディスク装置において、前記補助ウェイトは、接着により前記バランスウェイトの一部に取り付けられていることを特徴とするディスク装置。
【請求項６】
ディスク状記録媒体と、該ディスク状記録媒体を保持する略円筒形状の回転部とを備え、スピンドルモータに取り付けて回転駆動されるディスク装置であって、前記回転部の回転軸方向の両端面の少なくとも一方に、バランスウェイトをその内部に収容するバランスウェイト収容部を形成してなるディスク装置のアンバランス修正方法において、略「Ｃ」の字状の外形を有するバランスウェイトを用意し、当該バランスウェイトの一部に、少なくとも１個以上の補助ウェイトを取り付け、当該補助ウェイトを取り付けた前記バランスウェイトを前記バランスウェイト収容部内に取り付けることを特徴とするディスク装置のアンバランス修正方法。
【請求項７】
前記請求項６に記載したディスク装置のアンバランス修正方法において、前記「Ｃ」の字状の外形を有するバランスウェイトを内部に圧縮して、前記バランスウェイト収容部内に嵌め込むことを特徴とするディスク装置のアンバランス修正方法。
【発明の詳細な説明】
【技術分野】
【０００１】
本発明は、磁気ディスクや光ディスクなど、その上に情報を記録及び／又は再生するディスク装置に関わり、特に、ディスク記録媒体が回転する際の振動を抑制することの可能なバランス調整機構を備えたディスク装置に関する。
【背景技術】
【０００２】
回転する円盤（ディスク）状の情報記録媒体上にデータを記録・再生するディスク装置、例えば磁気ディスク装置においては、ディスクの回転に伴い発生する回転１次の振れ回り振動が大きいと、ディスク上への情報の記録・再生動作においてエラーが発生する危険がある。特に、近年においては、データの転送速度の向上を目的として、ディスクの回転速度が高速化されており、それに伴って、振れ回り振動は大きくなるポテンシャルを持っている。そのため、ディスクと、このディスクを保持するハブとの不釣合い量を低減し、もって、その振れ回り振動を低減することが、これまで以上に重要となっている。
【０００３】
ところで、従来では、ディスクを保持して一緒に回転するハブにバランスウェイトを取り付けて不釣合い量を低減することが一般的に行なわれている。例えば、外形が「Ｃ」の字状のバランスウェイト（止め輪）を、上記ハブの一部（回転軸方向の両端面）に形成された凹部の内周面に取り付ける。なお、このバランスウェイト（止め輪）は、その径が上記ハブの内径よりも若干大きくなっており、そのため、ハブが高速回転しても外れたり、その位置が移動することがない。しかしながら、このように１面につき１個のバランスウェイト（止め輪）を嵌める方法では、不釣合い量を調整することが難しく、特に、ディスク回転速度の高速化に対応し、要求されるバランス仕様が厳しくなると、その対応が十分に図れない。
【０００４】
すなわち、バランスウェイトをハブに取り付けるには、ハブの一部に、その回転中心を中心とした円状の溝を形成する必要がある。そして、１個のバランスウェイトに対しは、１個の円状の溝が必要となるため、バランスウェイトを複数取りつける場合には、上記円状の溝が複数必要になる。さらに、装置のリペアを考慮すると、更に多くの数の溝をそれぞれ離して配置し、リペア時におけるバランスウェイトの着脱用のスペースをも確保しなければならない。従って、バランスウェイトを取り付けるために十分な実装スペースを確保することが難しくなる。
【０００５】
そこで、従来技術によれば、例えば、以下の特許文献１にも示されるように、バランス修正機構を備えた磁気ディスク装置が既に提案されている。すなわち、この従来技術によれば、外形が「Ｃ」形のバランスウェイト（止め輪）を、少なくと２枚を上下に重ねて、ハブの内周面に取り付ける。
【０００６】
【特許文献１】特開平１１−３５３７８８号公報
【０００７】
なお、この従来技術のバランス修正機構では、取り付け時に、複数個（２枚）のバランスウェイトを、互いに、その位置をずらして嵌める。このことにより、修正不釣合いベクトルを、上記複数のバランスウェイトの不釣合いベクトルの足し算により形成できるので、バランスウェイトの型数を増やすことなく、任意の大きさの修正不釣合いベクトルを実現できるものである。
【０００８】
より具体的には、上記従来技術のバランスウェイトは、その外形が形成する円の内部にハブの回転中心が来るように、これをハブに取り付ける。これは、高速回転で発生する遠心力でバランスウェイトが外れないようにするためである。そして、このＣ形状のバランスウェイトを無負荷の状態から内側に少し圧縮してハブの内側から嵌め込むことにより、非回転時でもバランスウェイトの挟持力を確保でき、また、一方では、回転により遠心力が発生してもこれが挟持力を強める方向に働くからである。バランスウェイトは非回転状態でも外れないように、Ｃ形状のバランスウェイトを内側に圧縮して取り付けるようにするため、その中心角が１８０度以上の円弧を形成するように作成されている。
【発明の開示】
【発明が解決しようとする課題】
【０００９】
しかしながら、上述した従来技術になるバランスウェイトでは実装スペースの点で課題があり、さらに、高精度なバランス修正が出来ない。すなわち、複数個（２枚）のバランスウェイトを嵌める構造であり、それを内部に収納する溝は、１枚のバランスウェイトを収納するものに比較して、深い溝を形成する必要があり、その構造によっては、かかる深い溝をハブに形成することが出来ず、取り付けられない場合が生じる。
【００１０】
また、上述したようにバランス仕様が厳しくなるに従い、複数個のバランスウェイトをずらして嵌めるタイプが主流になると考えられるが、しかしながら、高精度なバランス修正を行なおうとする場合、特に、スペースを確保するために、一旦実装した後には取り外すことが出来ない埋め込み式にした場合には、これらのバランスウェイトの取り付け角度を修正する必要がある。しかしながら、その際、バランスウェイトをハブに対して滑らせ、又は、一方のバランスウェイトを他のバランスウェイトに対して滑らせる必要があるが、かかる作業を行なうことによりって粉塵が生じる。しかしながら、かかる粉塵は、特に、本発明が関わる磁気ディスクでは大敵であり、到底、採用し難いという問題点があった。
【００１１】
加えて、これらバランスウェイトの取り付けは、モータを回転させてその角度の位置決めをして行うことから、十分な位置決め精度が得られず、このため修正ベクトルの大きさがばらついてしまい、バランス仕様によるが、この修正ベクトルの大きさにばらつきが生じると、バランス修正が出来なくなる恐れもある。
【００１２】
そこで、本発明は、上述した従来技術における問題点に鑑みて成されたものであり、その目的は、バランスウェイトの着脱や実装に必要なスペースが少なく、かつ、その構造上、回転に伴う遠心力でも外れず、高精度なバランス修正を行うことが可能なバランス修正機構を備えたディスク装置を提供することにある。
【課題を解決するための手段】
【００１３】
上記目的を達成するため、本発明によれば、まず、ディスク状記録媒体と、該ディスク状記録媒体を保持する略円筒形状の回転部とを備え、スピンドルモータに取り付けて回転駆動されるディスク装置において、前記回転部の回転軸方向の両端面の少なくとも一方に、バランスウェイトをその内部に収容するバランスウェイト収容部を形成し、かつ、前記バランスウェイト収容部に収容されるバランスウェイトは、弾性を有する略「Ｃ」の字状の外形を有しており、そして、当該バランスウェイトの一部には、さらに、少なくとも１個以上の補助ウェイトを取り付けてなるディスク装置が提供される。
【００１４】
また、本発明によれば、前記に記載したディスク装置において、前記補助ウェイトは、略「コ」の字状の断面形状を有しており、かつ、当該「コ」の字状の開口部が、前記「Ｃ」の字状のバランスウェイトの内周から外周に向かう方向になるように、前記バランスウェイトの一部に取り付けられ、更には、前記補助ウェイトは、弾性を有しており、もって、その「コ」の字状の断面形状の間に前記バランスウェイトの一部を挟持するように取り付けられることが好ましい。なお、前記補助ウェイトは、更に上記に代えて、溶接により前記バランスウェイトの一部に取り付けられ、又は、接着により取り付けられてもよい。
【００１５】
更に、本発明によれば、やはり、上記目的を達成するため、ディスク状記録媒体と、該ディスク状記録媒体を保持する略円筒形状の回転部とを備え、スピンドルモータに取り付けて回転駆動されるディスク装置であって、前記回転部の回転軸方向の両端面の少なくとも一方に、バランスウェイトをその内部に収容するバランスウェイト収容部を形成してなるディスク装置のアンバランス修正方法において、略「Ｃ」の字状の外形を有するバランスウェイトを用意し、当該バランスウェイトの一部に、少なくとも１個以上の補助ウェイトを取り付け、当該補助ウェイトを取り付けた前記バランスウェイトを前記バランスウェイト収容部内に取り付けるディスク装置のアンバランス修正方法が提供される。
【００１６】
なお、本発明によれば、前記のアンバランス修正方法において、前記「Ｃ」の字状の外形を有するバランスウェイトを内部に圧縮して前記バランスウェイト収容部内に嵌め込むことが好ましい。
【発明の効果】
【００１７】
以上の本発明になるディスク装置とそのアンバランス修正方法によれば、バランスウェイトが１個で済むことから、これを着脱又は実装するために必要なスペースが少なくて済み、かつ、このバランスウェイトに取り付ける補助ウェイトの働きにより、得られるバランスベクトルの方向や大きさを高精度に調整することが可能であり、もって、偏重心による振れ回り振動を低減し、高速化した回転速度にも対応可能なディスク装置を得ることが可能となるという優れた効果を発揮が得られる。
【発明を実施するための最良の形態】
【００１８】
以下、本発明の実施の形態について、添付の図面を参照しながら詳細に説明する。まず、添付の図２には、本発明の一実施の形態になるディスク装置として、特に、磁気ディスク装置に適用した構成を示す。
【００１９】
すなわち、図２にも示すように、通常、磁気ディスク装置におけるディスク装置は、例えば、外形が略円筒形でその下方に鍔状部４１を備えた、例えば、ＳＵＳ等により形成されたハブ４に対し、その円筒外周面上に、複数のディスク２とスペーサ３とを、交互にスタックし、最上段にクランプ１を載せ、その後、ハブ４に対して図示しないネジ止め等により固定することにより構成される。これら、ハブ４とディスク２とスペーサ３とクランプ２は、例えば、玉軸受や流体軸受などの軸受を介して回転するシャフト５上に支持される。
【００２０】
なお、これら、ハブ４とディスク２とスペーサ３やクランプ１のような回転部分（以後、スペーサ３やクランプ１を含めて「回転部」と総称する）には、通常、不釣合い量が存在する。そこで、上記の回転部を構成するハブ４（図の例では、特に、その下部に形成された鍔状部４１）やクランプ１には、その内部にバランスウェイトを取り付けるための円形の溝６が形成されている。
【００２１】
図１は、上記に説明したディスク装置における上記回転部、特に、ハブ４の部分だけを取り出して示しており、これにより、本発明になるディスク装置におけるバランス調整機構の構成につての詳細を説明するものである。
【００２２】
図において、上記ディスク装置の回転部を構成するハブ４は、その外形が略円筒形状に形成され、その底部（下部）には円盤状の鍔部４１が形成されている。さらに、この鍔部４１の底面には、バランスウェイト８を取り付けるため、当該ハブ４の回転軸と同心円上に、断面が矩形の溝４２が形成されている。なお、ここでは図示されていないが、上記ハブ４の上端面には、クランプ１（図２を参照）が、ハブ４の外周面に複数のディスク２とスペーサ３とを交互にスタックした後に取り付けられる。なお、上記と同様の溝４２は、上記のハブ４と共にディスク装置の回転部を構成する上記クランプ１の上端面に形成してもよい。
【００２３】
一方、上記のバランスウェイト８は、その外形を「Ｃ」の字状に形成されており、例えば、鋼鈑など、弾性を有する金属板をパンチング加工などによって切り出すことによって形成されている。なお、この「Ｃ」の字状のバランスウェイト８は、図からの明らかなように、このバランスウェイト８は、上記ハブ４の底面の溝４２に嵌め込まれた後は、磁気ディスクの非回転状態でも外れないように、その外径が上記溝４２の外径よりも僅かに大きく、かつ、その中心角が１８０度以上の円弧を形成するように作成されている。なお、このＣ形状のバランスウェイトを取り付ける場合には、一旦、内側に圧縮してその外径を小さくした状態で上記溝４２内に導入し、その後、その圧縮力を取り外す。これにより、上記のＣ形状バランスウェイト８は、その弾性によって、その外周面を溝４２の外周壁面に押し付けて溝４２内に固定される。
【００２４】
さらに、図中には、上記Ｃ形バランスウェイト８よりも形状が小さい補助のバランスウェイト（補助ウェイト）６が示されており、本発明では、この補助ウェイトを利用することにより、Ｃ形バランスウェイトによるバランス修正を、更に高精度に実現するものである。
【００２５】
すなわち、この補助ウェイト６は、図からも明らかなように、例えば、その断面を「コ」の字型に形成しており、矩形板状の外形を有している。なお、この補助ウェイト６も、上記Ｃ形バランスウェイト８と同様に、例えば、鋼鈑など、弾性を有する金属板などによって形成されている。
【００２６】
このような補助ウェイト６を上記のＣ形バランスウェイト８に取り付ける際には、まず、この補助ウェイト６の「コ」の字の部分を開いて、図に示すように、その開口部をＣ形バランスウェイトの内周から外周に向かうように取り付ける。すなわち、ハブ４が回転した時、それによって遠心力がこの補助ウェイト６に作用した場合にも、上記「コ」の字形状の補助ウェイト６は、上記Ｃ形バランスウェイト８と噛み合う方向に力を受け、むしろ、固着されることとなり、外れることがない。また、補助ウェイト６の弾性力（所謂、バネ力）を利用することによれば、上記補助ウェイト６の「コ」の字の部分を開いてＣ形バランスウェイト８の一部に取り付けた後は、これを上記ハブ４の溝４２内に嵌め込む以前の状態においても、そのばね力により間に挟み込んで固定されることとなり、補助ウェイト６のＣ形バランスウェイト８に対する取り付け位置が容易に移動されることはない。
【００２７】
なお、上記のようにして、上記ハブ４の円盤状の鍔部４１に形成された溝４２内に、上記のバランスウェイト８を、その補助ウェイト６と共に嵌め込んだ状態が、添付の図４に示されている。また、上記と同様にして、上記のバランスウェイト８を、その補助ウェイト６と共に、上記クランプ１に形成した４２の内部に嵌め込むことも可能でることは、言うまでもなかろう。加えて、上記の補助ウェイト６は、上記Ｃ形バランスウェイト８に対しては、一個所に限らず、複数個取り付けることができる。
【００２８】
次に、添付の図３には、上記Ｃ形状のバランスウェイト８と補助ウェイト６とを利用することにより、上記ディスク装置の不釣合い（アンバランス）を修正する方法が示されている。
【００２９】
通常、ディスク装置の不釣合い（アンバランス）を修正する場合、まず、ディスク装置を試験装置のモータに取り付けて回転させ、所定の計算により、バランスウェイトを取り付ける角度、又は、その位置決めを行う。その際、上記Ｃ形バランスウェイト８だけでは、必ずしも所望の不釣合い量ベクトルを得ることが出来ず、高精度での修正を行なうことは困難である。なお、これに対し、例えば、考えられる全てのアンバランスの種類に対して対応することが出来るように、多種多様な型のバランスウェイトを用意することも考えられる。しかしながら、それでは、特に、近年のディスク回転速度の高速化に伴って要求される高精度での不釣合い（アンバランス）の修正を実現するためには、非常に多数の型のバランスウェイトが必要となり、実用的には、採用することが出来ない。
【００３０】
一方、上述のように、上記のＣ形状のバランスウェイト８と補助ウェイト６とを利用することによれば、例えば、図３（Ａ）に示すように、補助ウェイト６を、上記Ｃ形状のバランスウェイト８を構成する円弧状部材の一部に取り付ける。このことによれば、上記ディスク装置が回転した場合遠心力により発生する、バランスウェイトにより得られる修正ベクトルとしては、上記のＣ形状のバランスウェイト８により得られる修正ベクトルと、取り付けられた補助ウェイト６とのベクトル和となる。そこで、主に、得られる修正ベクトル量の方向を調整する場合には、上記補助ウェイト６を取り付ける位置を変更する。他方、主に、修正ベクトル量の大きさを調整する場合には、図３（Ｂ）にも明らかなように、上記補助ウェイト６を取り付ける数を変更することにより行なうこととなる。
【００３１】
このように、本発明のＣ形状バランスウェイト８と補助ウェイト６とを組み合わせて利用するディスク装置のアンバランス修正方法によれば、特に、上記従来技術になる２重のＣ形状バランスウェイトを使用するものに比較して、以下のような効果が得られる。
【００３２】
（イ）任意の大きさの不釣合いベクトルを、少ない部品、即ち、Ｃ形状バランスウェイト８と補助ウェイト６だけで実現することが出来る。通常、バランスウェイト組み立てばらつきや、更には、バランスウェイト単体のばらつきは、バランスウェイト自体が軽いほうが小さくなる傾向を示すが、本発明のように、Ｃ形状バランスウェイト８と補助ウェイト６とを組み合わせて利用する場合には、Ｃ形状バランスウェイト８自体のばらつきを、上記補助ウェイト６を取り付けることにより補正することが出来る。また、その構造上からも、２重バランスウェイトに対し、バランスウェイトを軽くすることが出来る。
【００３３】
（ロ）本発明のように、Ｃ形状バランスウェイト８と補助ウェイト６とを組み合わせて利用すれば、まず、補助ウェイト６をＣ形状バランスウェイト８に取り付けてバランスウェイトを調整し、その後、これを上記回転体の溝４２内に嵌め込むことにより、高精度に、バランスウェイトを調整することが出来る。すなわち、修正に必要な不釣合いベクトルを、上記Ｃ形状バランスウェイト８と補助ウェイト６によるベクトル和により形成できるので、任意の大きさと方向を持つ修正不釣合いベクトルを実現することが出来る。
【００３４】
なお、これに対し、上記の２重バランスウェイトでは、通常、埋め込み式であるため着脱ができず、そのため、ディスク装置をモータで回転させてアンバランスを測定した後、バランスウェイトの角度の位置決めを行う。しかしながら、測定後に、２重バランスウェイトの角度の位置決めを行なう場合には、上述したように摩擦により金属粉が発生するという問題点と共に、これだけでは十分な精度が得られない。特に、修正ベクトルの大きさを変更する場合に、大きな調整は困難である。
【００３５】
なお、以上の説明では、上記補助ウェイト６をＣ形状のバランスウェイト８と組み立てるための構造として、補助ウェイト６の断面形状が「コ」の字形状を備えているとして説明した。しかしながら、本発明ではこれにのみ限定されるものではなく、例えば、添付の図５にも示すように、所定の大きさに切り出した金属の板状部材を補助ウェイトとして、これを溶接、または接着などにより取り付けてもよい。そして、バランスウェイト８と補助ウェイト９の不釣合いベクトルの足し算により、修正不釣合いベクトルを形成した後、これらを上記ハブ４の溝４２に取り付ける。なお、その際、バランスウェイト８を少し内側に圧縮した状態で取り付けることは、上記と同様である。
【００３６】
また、上述のように、補助ウェイト８又は９は、バランスウェイト８に対して付加的な重りの役割をするものであるならばよく、更には、上記に代えて、半田などを適量ドロップして形成してもよい。これによれば、少ない型数（バランスウェイト８だけ）で、任意の大きさの修正不釣合いベクトルを形成することが可能となる。なお、この時、バランスウェイト８とバランスウェイト９のリペアは出来ないが、但し、上記バランスウェイト８のハブ４に対する着脱は比較的容易であることから、リペアを行なうことは可能である。
【図面の簡単な説明】
【００３７】
【図１】本発明の一実施の形態になるディスク装置における回転部とそのバランス調整機構の構成を示す一部断面を含む斜視図である。
【図２】本発明を適用したディスク装置として、磁気ディスク装置のディスク装置の具体的構成を示す。一部断面を含む斜視図である。
【図３】上記本発明のディスク装置における。バランスウェイトと補助ウェイトとによるのアンバランス修正方法を説明する原理図である。
【図４】上記ディスク装置のハブの溝内に上記のバランスウェイトを嵌め込んだ状態を示す下方からの斜視図である。
【図５】上記の実施の形態における変形例の一例を示すディスク装置の下方からの斜視図である。
【符号の説明】
【００３８】
１…クランプ、２…ディスク、３…スペーサ、４…ハブ、４１…鍔部、４２…溝、５…シャフト、６、９…補助ウェイト、８…Ｃ形バランスウェイト、９…バランスウェイト。
【図１】
2005076838.tif 000003
【図２】
2005076838.tif 000004
【図３】
2005076838.tif 000005
【図４】
2005076838.tif 000006
【図５】
2005076838.tif 000007